(57)【特許請求の範囲】
【請求項１】
各々光が入射する入射面及び前記光がガイドされて出射する出射面を含み、互いに離隔されて前記入射面が対向するように配置される複数の導光板と、
印刷回路基板と、各々相互に隔離されて前記印刷回路基板の上に実装される光源を含む複数の光源ユニットとを含み、前記導光板間の離隔された空間に配置される光源部と、
前記導光板の光が出射される方向に面する光学部材と、
前記導光板間の離隔された空間に重畳して配置され、前記光源から出射して前記導光板間の離隔された空間に漏洩して前記導光板から光が出射する方向に進行する光を拡散させる拡散部、及び前記拡散部から前記導光板の光出射方向の反対側に突出して前記光源間の空間に挿入される支持部を含む光拡散部材と、を含み、
隣接する光源は各々反対方向に光を出射することを特徴とするバックライトユニット。
【請求項２】
前記拡散部は、前記光学部材に対向する面の上に反射フィルムを含むことを特徴とする請求項１に記載のバックライトユニット。
【請求項３】
前記反射フィルムは、半透明な材質を含むことを特徴とする請求項２に記載のバックライトユニット。
【請求項４】
前記反射フィルムは、ポリエチレンテレフタレートを含むことを特徴とする請求項２に記載のバックライトユニット。
【請求項５】
前記反射フィルムは、前記光学部材に対向する面の上に多数のマイクロレンズを含むことを特徴とする請求項２に記載のバックライトユニット。
【請求項６】
前記反射フィルムは、内部に複数の拡散ビーズを含むことを特徴とする請求項２に記載のバックライトユニット。
【請求項７】
前記拡散部は、長辺と短辺とを有する方形の板状であることを特徴とする請求項１に記載のバックライトユニット。
【請求項８】
前記拡散部は、前記光学部材方向に突出する突起を含むことを特徴とする請求項７に記載のバックライトユニット。
【請求項９】
前記突起は、前記拡散部の第１の短辺から前記拡散部の第１の短辺の反対側の第２の短辺まで縦方向に延設されることを特徴とする請求項８に記載のバックライトユニット。
【請求項１０】
前記拡散部は、両短辺の中央を連結する仮想線が両長辺から前記光学部材方向に突出する凸形状であることを特徴とする請求項７に記載のバックライトユニット。
【請求項１１】
前記導光板間の空間に関して前記拡散部の反対側に配置され、前記光拡散部材と締結されて前記導光板を支持する導光板支持部材をさらに含むことを特徴とする請求項１に記載のバックライトユニット。
【請求項１２】
前記光拡散部材は前記拡散部を貫通する貫通ホールを含み、
前記導光板支持部材は前記貫通ホールに重畳する締結ホールを含み、
前記貫通ホール及び締結ホールから延設されて前記光拡散部材及び前記導光板支持部材を締結する締結部材をさらに含むことを特徴とする請求項１１に記載のバックライトユニット。
【請求項１３】
前記光拡散部材は前記支持部の下端にキャッチング突起をさらに具備し、
前記キャッチング突起は、前記導光板の光が出射する方向に対して垂直な面を基準として前記支持部より大きな断面積を有し、
前記導光板支持部材は前記導光板間の空間に関して前記拡散部の反対側に配置され、前記キャッチング突起が挿入・固定される収容溝をさらに含むことを特徴とする請求項１１に記載のバックライトユニット。
【請求項１４】
映像を表示する表示パネルと、
光を前記表示パネルに供給するバックライトユニットと、
上部カバーと、
下部カバーとを含み、
前記上部カバー及び下部カバーはその中に前記表示パネル及び前記バックライトユニットを収納し、
前記バックライトユニットは、
各々光が入射する入射面、及び前記光がガイドされて出射する出射面を含み、互いに離隔されて前記入射面が対向するように配置される複数の導光板と、
印刷回路基板と、各々相互に隔離されて前記印刷回路基板の上に実装される光源を含む複数の光源ユニットとを含み、前記導光板間の空間に配置される光源部と、
前記導光板の光が出射される方向に面する光学部材と、
前記導光板間の離隔された空間及び前記光学部材の間に配置され、前記光源から出射して前記導光板間の離隔された空間に漏洩した光を拡散させる拡散部及び前記拡散部から前記導光板の光出射方向の反対側に突出して前記光源間の離隔された空間に挿入される少なくとも１つの支持部を含む光拡散部材とを含み、
隣接する光源は各々反対方向に光を出射することを特徴とする表示装置。
【請求項１５】
前記拡散部は、前記光学部材に面する面の上に反射フィルムを含むことを特徴とする請求項１４に記載の表示装置。
【請求項１６】
前記反射フィルムは、半透明な材質を含むことを特徴とする請求項１５に記載の表示装置。
【請求項１７】
前記反射フィルムは、ポリエチレンテレフタレートを含むことを特徴とする請求項１５に記載の表示装置。
【請求項１８】
前記反射フィルムは、前記光学部材に面する面の上に複数のマイクロレンズを含むことを特徴とする請求項１５に記載の表示装置。
【請求項１９】
前記反射フィルムは、内部に複数の拡散ビーズを含むことを特徴とする請求項１５に記載の表示装置。
【請求項２０】
前記拡散部は、長辺と短辺とを有する方形の板状であることを特徴とする請求項１４に記載の表示装置。
【請求項２１】
前記拡散部は、前記光学部材方向に突出する突起を含むことを特徴とする請求項２０に記載の表示装置。
【請求項２２】
前記突起は、前記拡散部の第１の短辺から第２の短辺まで縦方向に延設された形状であることを特徴とする請求項２１に記載の表示装置。
【請求項２３】
前記拡散部は、両短辺の中央を連結する仮想線が両長辺から前記光学部材方向に突出する凸形状であることを特徴とする請求項２０に記載の表示装置。
【請求項２４】
前記導光板間の空間に関して前記拡散部の反対側に配置され、前記光拡散部材と締結されて前記導光板を支持する導光板支持部材をさらに含むことを特徴とする請求項１４に記載の表示装置。
【請求項２５】
前記光拡散部材は前記拡散部を貫通する貫通ホールを含み、
前記導光板支持部材は前記貫通ホールに重畳する締結ホールを含み、
前記貫通ホール及び締結ホールから延設されて前記光拡散部材及び前記導光板支持部材を締結する締結部材をさらに含むことを特徴とする請求項２４に記載の表示装置。
【請求項２６】
前記締結部材は、スクリュー及びリベットのうちいずれか１つであることを特徴とする請求項２５に記載の表示装置。
【請求項２７】
前記光拡散部材は前記支持部の下端にキャッチング突起をさらに含み、
前記キャッチング突起は、前記導光板の光が出射する方向に対して垂直な面を基準として前記支持部より大きな断面積を有し、
前記導光板支持部材は前記導光板間の空間に関して前記拡散部の反対側に配置され、前記キャッチング突起が挿入・固定される収容溝をさらに含むことを特徴とする請求項２４に記載の表示装置。
【請求項２８】
前記光拡散部材は前記拡散部を貫通する貫通ホールを含み、
前記下部カバーは前記貫通ホールに重畳する締結ホールを具備し、
前記貫通ホール及び前記締結ホールを介して延設されて前記光拡散部材及び前記導光板支持部材を締結する締結部材をさらに含むことを特徴とする請求項２４に記載の表示装置。
【請求項２９】
前記締結部材はスクリュー及びリベットのうちいずれか１つを含むことを特徴とする請求項２８に記載の表示装置。
【発明の詳細な説明】
【技術分野】
【０００１】
本発明はバックライトユニット及びこれを具備する表示装置に関し、より詳細には、複数の導光板を含むバックライトユニット及びこれを有する表示装置に関する。
【背景技術】
【０００２】
画像を表示する表示パネルとして液晶表示パネルや電気泳動表示パネルを含む表示装置は光源がない限り自主的に発光しない非発光性素子であるので、表示パネルに光を供給するためのバックライトユニットを必要とする。
【０００３】
バックライトユニットは、光を放出する光源と、光源から発生した光を表示パネル側にガイドする導光板とを含み、場合によって複数の導光板を使用することもある。
【０００４】
しかし、複数の導光板を使用する場合、光源が複数の導光板間の離隔空間に配置されているため、導光板間の離隔空間の上部に光が漏洩することがある。また、漏洩した光によって表示パネルの表示品質が低下することがある。
【先行技術文献】
【特許文献】
【０００５】
【特許文献１】韓国特許公開第１０−２００７−００３１０４４号公報
【発明の概要】
【発明が解決しようとする課題】
【０００６】
本発明の目的は表示品質を向上させることができるバックライトユニット及びこれを具備する表示装置を提供することである。
【課題を解決するための手段】
【０００７】
上記目的を達成するために本発明の実施例におけるバックライトユニットは、複数の導光板、光源部、光学部材、及び光拡散部材を含む。
【０００８】
各導光板は、光が入射する入射面及び光がガイドされて出射する出射面を含み、複数の導光板は互いに離隔され入射面が対向するように配置される。
【０００９】
光源部は、導光板間の離隔された空間に配置され、互いに離隔されて配置される複数の光源を含む複数の光源ユニット及び少なくとも１つの光源ユニットが実装される少なくとも１つの印刷回路基板を含む。ここで、いずれか１つの光源は隣接する光源と反対方向に光を出射する。
【００１０】
光学部材は、導光板間の離隔された空間の上部に配置されて光源から出射して導光板間の離隔された空間に漏洩して導光板から光が出射される方向に進行する光を拡散させる拡散部、及び拡散部から導光板の光出射方向の反対側に突出して光源間の離隔された空間に挿入される少なくとも１つの支持部を具備する。
【００１１】
一実施例において、拡散部は光学部材に対向する面の上に接着される反射フィルムをさらに具備してもよい。
【００１２】
他の実施例において、反射フィルムは光学部材方向の面上に複数のマイクロレンズを含んでもよく、又は、反射フィルムは内部に複数の拡散ビーズを含んでもよい。
【００１３】
さらに他の実施例において、拡散部は光学部材方向に突出して導光板が光学部材と離隔されるようにする少なくとも１つの突起をさらに含んでもよい。
【００１４】
さらに他の実施例において、拡散部はドーム形状又は凸形状であってもよい。
【００１５】
さらに他の実施例において、導光板間の離隔された空間の下に配置され、光拡散部材と締結されて導光板を支持する導光板支持部材をさらに含んでもよい。
【００１６】
他の実施例において、光拡散部材は拡散部を貫通する貫通ホールを具備し、導光板支持部材は貫通ホールに対応する締結ホールを具備し、バックライトユニットは貫通ホール及び締結ホールに挿入されて光拡散部材及び導光板支持部材を締結する締結部材をさらに含んでもよい。
【００１７】
さらに他の実施例において、光拡散部材は、支持部の下端に形成され、導光板から光が出射する方向に対して垂直な断面を基準として支持部より大きな断面積を有するキャッチング突起（ｃａｔｃｈｉｎｇ  ｐｒｏｔｒｕｓｉｏｎ）をさらに含み、導光板支持部材は導光板の下部に配置され、キャッチング突起が挿入及び固定される収容溝をさらに含んでもよい。
【００１８】
さらに他の実施例において、上記目的を達成するための表示装置は映像を表示する表示パネル、表示パネルに光を供給するバックライトユニット、並びに表示パネル及びバックライトユニットを収納する上部カバー及び下部カバーを含む。
【００１９】
いくつかの実施例において、光拡散部材は拡散部を貫通する貫通ホールを具備し、下部カバーは貫通ホールに対応する締結ホールを具備し、表示装置は貫通ホール及び締結ホールに挿入されて光拡散部材及び導光板支持部材を締結する締結部材をさらに含んでもよい。
【発明の効果】
【００２０】
本発明のバックライトユニット及びこれを具備する表示装置は導光板間で漏洩する光を拡散させることのできる光拡散部材を含む。したがって、導光板によってガイドされず、漏洩した光によって表示装置の表示品質が低下することを防止することが可能となる。
【図面の簡単な説明】
【００２１】
【図１】本発明の一実施形態における表示装置を説明するための分解斜視図である。
【図２】図１に示された光源部、導光板、光拡散部材及び光学部材の結合関係を説明するための分解斜視図である。
【図３Ａ】図２に示された光源部の斜視図である。
【図３Ｂ】図２に示された光源部の斜視図である。
【図４Ａ】本発明の一実施形態における表示装置に適用可能な光拡散部材の斜視図である。
【図４Ｂ】本発明の一実施形態における表示装置に適用可能な光拡散部材の斜視図である。
【図４Ｃ】本発明の一実施形態における表示装置に適用可能な光拡散部材の斜視図である。
【図５Ａ】図４ＡのＢ部分の一実施形態における拡大断面図である。
【図５Ｂ】図４ＡのＢ部分の一実施形態における拡大断面図である。
【図６】本発明の一実施形態における光拡散部材、導光板、光源部、及び光学部材の結合関係を説明するための断面図である。
【図７】本発明の一実施形態における表示装置のバックライトユニットを説明するための断面図である。
【図８】本発明の一実施形態における表示装置のバックライトユニットを説明するための断面図である。
【図９】本発明の一実施形態における表示装置のバックライトユニットを説明するための断面図である。
【発明を実施するための形態】
【００２２】
ある物質又は層が、他の物質又は層「の上に」、「に接続され」、又は「に接合して」というように言及される場合、当該物質又は層は、他の物質又は層若しくは介在する物質又は層の上に直接あり、直接接続され、又は直接接合してもよいと理解されるべきである。一方、ある物質又は層が、他の物質又は層「の上に直接」、「に直接接続され」、又は「に直接接合して」というように言及される場合、介在する物質又は層は存在しない。以下で用いられるように、「接続され」は、物理的に及び／又は電気的に相互に接続される物質について言及されてもよい。全体を通して、似たような番号は似たような物質に付される。以下で用いられるように、「及び／又は」という用語は、結び付けられて列挙されたアイテムの一つ又は複数の全ての組み合わせを含む。
【００２３】
第１、第２、第３等の用語であっても、以下では様々な物質、成分、領域、層及び／又は部分を示してもよく、これらの物質、成分、領域、層及び／又は部分は、これらの用語によって限定されてはならない。これらの用語は、単に一つの物質、成分、領域、層及び／又は部分を他の物質、成分、領域、層及び／又は部分と識別するために用いられる。したがって、本発明の内容から外れない限り、以下に記載される第１物質、成分、領域、層又は部分は、第２物質、成分、領域、層又は部分と記載されてもよい。
【００２４】
「の下」、「の下に」、「の上に」、「の上方に」及びそのような空間的に相対的な用語は、ある物質と他の物質との関係又は特徴あるいは図面に記載された特徴を分かりやすく記載するために用いられてもよい。
空間的に相対的な用語は、当該図面に記載された方向に加えて、使用又は動作中における当該装置の異なる方向を含むことを意図すると理解されるべきである。例えば、図示された装置が逆さまになれば、他の物質又は特徴との関係で「の下」又は「の下に」記載された物質は、他の物質又は特徴との関係で「の上に」向くことになる。したがって、例えば「の下に」との用語は上と下の両方の方向を含むことができる。以下では当該装置は他の方向に向けられ（９０°又は他の角度に回転され）るに従って、空間的に相対的な用語が相対的に解釈されてもよい。
【００２５】
以下で用いられる用語は特定の実施例のみを説明し、本発明を制限しない目的で用いられる。以下で用いられるように、文脈から明らかに異なる場合を除き、単数形の「一つの」、「その」は、複数形を含むものとして意図される。さらに、「を含む」及び／又は「を含んでいる」との用語が本明細書で用いられる場合、記載された特徴、数値、過程、動作、物質及び／又は成分の存在を含むが、一つ又は複数の他の特徴、数値、過程、動作、物質及び／又は成分の存在又は追加を除外しないと理解される。
【００２６】
異なる定義がなされない限り、ここで用いられる全ての用語（専門用語及び化学用語を含む）は、本発明の属する技術分野における当業者によって一般に理解される意味と同じ意味である。さらに、辞書で一般的に用いられるような用語は、関連技術の文脈において用いられる意味を有するものと解釈されるべきであって、以下で明確に定義されない限り、理想的な又は過剰に形式的な意味に解釈されてはならない。
【００２７】
以下、添付された図面を参照して、本発明の望ましい実施形態をより詳細に説明する。
【００２８】
図１は本発明の一実施形態における表示装置を説明するための分解斜視図である。図２は図１に示された光源部、導光板、光拡散部材、及び光学部材の結合関係を説明するための分解斜視図である。図３Ａ及び図３Ｂは図２に示された光源部の斜視図である。
【００２９】
図１から図３Ｂを参照すると、本発明の一実施形態における表示装置５００は表示パネル１００、バックライトユニット２００、上部カバー３１０及び下部カバー３２０を含む。
【００３０】
表示パネル１００には液晶表示装置（ｌｉｑｕｉｄ  ｃｒｙｓｔａｌ  ｄｉｓｐｌａｙ  ｐａｎｅｌ；ＬＣＤ）や電気泳動表示パネル（ｅｌｅｃｔｒｏｐｈｏｒｅｔｉｃ  ｄｉｓｐｌａｙ  ｐａｎｅｌ；ＥＤＰ）等を含む多様な表示パネルが使用されてもよい。本実施形態ではＬＣＤパネルを例として説明する。
【００３１】
表示パネル１００は長辺と短辺とを有する長方形の板状である。また、表示パネル１００はアレイ基板１１０、アレイ基板１１０に対向する対向基板１２０、及びアレイ基板１１０と対向基板１２０との間に形成された液晶層（図示せず）を含む。
【００３２】
本発明の一実施形態において、アレイ基板１１０はマトリックス形状の多数の画素（図示せず）を含んでもよい。各画素は、第１方向、例えば、アレイ基板１１０の一辺に対して平行な方向に延設されたゲートライン（図示せず）、第１方向と直交する第２方向に延設されてゲートラインと絶縁するように交差するデータライン（図示せず）、及び画素電極（図示せず）を含んでもよい。また、各画素にはゲートライン、データライン、及び画素電極に電気的に連結された薄膜トランジスタ（図示せず）を含んでもよい。薄膜トランジスタは対応する画素電極に供給される駆動信号をスイッチングする。また、アレイ基板１１０の一側にはドライバーＩＣ（Ｄｒｉｖｅｒ  ｉｎｔｅｇｒａｔｅｄ  ｃｉｒｃｕｉｔｓ）１３０が配置されてもよい。ドライバーＩＣ１３０は外部から各種信号を受信し、入力された各種制御信号に応答して表示パネル１００を駆動する駆動信号を出力する。
【００３３】
対向基板１２０はＲＧＢ（ｒｅｄ，  ｇｒｅｅｎ  ａｎｄ  ｂｌｕｅ）カラーフィルタ（図示せず）及びその面上に形成される共通電極（図示せず）を含んでもよい。ＲＧＢカラーフィルタは光を用いて所定の色を実現する。共通電極はＲＧＢカラーフィルタの上に形成され、画素電極と対抗する。ＲＧＢカラーフィルタは薄膜工程を通じて形成されてもよい。一実施例において対向基板１２０はＲＧＢカラーフィルタを含んでもよいが、これに限定されない。他の実施例において、例えば、ＲＧＢカラーフィルタはアレイ基板１１０の上に形成されてもよい。
【００３４】
液晶層は画素電極と共通電極との間に形成される電界によって特定方向に配列されることによって、バックライトユニット２００から供給される光の透過度を調節して、表示パネル１００が映像を表示できるようにする。
【００３５】
バックライトユニット２００は表示パネル１００の下部に重畳して配置される。バックライトユニット２００は複数の導光板２１０、少なくとも１つの光源部２２０、光学部材２３０、反射シート２４０、及び光源部２２０から出射して隣接する導光板２１０間の離隔された空間に漏洩した光を拡散させる光拡散部材２５０を含む。
【００３６】
導光板２１０は相互に隣接しており、両方とも表示パネル１００の下部に配置され、光源部２２０から放出される光をガイドして表示パネル１００方向に光を出射させる。また、表示装置５００の平面図において導光板２１０は互に離隔されており、各導光板の側面が対向するように配置される。ここで、各導光板２１０は少なくとも光が入射する入射面２１１及び入射面２１１を通じて入射した光がガイドされて出射する出射面２１２を含む。出射面２１２は表示パネル１００の入射面に面していてもよい。
【００３７】
光源部２２０は導光板２１０間の離隔された空間に配置され、互に離隔された複数の光源２２１、２２２を含む複数の光源ユニット（Ｌ．Ｕ）及び光源ユニット（Ｌ．Ｕ）が実装される少なくとも１つの印刷回路基板２２３を含む。図３Ａ及図３Ｂに点線の矢印で示すように、光源ユニット（Ｌ．Ｕ）のいずれか１つの光源２２１、２２２は隣接する光源と互いに反対方向に光を出射して互に異なる導光板２１０に光を供給する。一実施例において、例えば、図３Ａに示されたように、光源ユニット（Ｌ．Ｕ）は１つの印刷回路基板２２３の上に実装されて光源部２２０を形成してもよい。また、図３Ｂに示されたように、各光源ユニット（Ｌ．Ｕ）が複数の別の印刷回路基板２２３の上にそれぞれ実装されて光源部２２０を形成してもよい。
【００３８】
光源２２１、２２２の中でいずれか１つの導光板２１０に向かって光を出射する光源を第１光源２２１と称し、他の導光板２１０に向かって光を出射する光源を第２光源２２２と称する。この場合、第１光源２２１及び第２光源２２２に別々に電源を印加する方式を選択してバックライトユニット２００をローカル調光（Ｌｏｃａｌ  Ｄｉｍｍｉｎｇ）してもよい。
【００３９】
光拡散部材２５０は拡散部２５１及び支持部２５２を含み、光源２２１、２２２から出射して導光板２１０間の離隔された空間に漏洩した光を拡散させる。
【００４０】
光学部材２３０は導光板２１０と表示パネル１００との間に配置される。すなわち、光学部材２３０は導光板２１０から光が出射される方向、例えば、出射面２１２の上部であって表示パネル１００の横に配置される。光学部材２３０は光源部２２０から出た光を制御する役割を果たす。光学部材２３０は導光板２１０の上に順次的に積層された拡散シート、プリズムシート、及び／又は保護シートを含んでもよい。
【００４１】
拡散シートは光源部２２０から出た光を拡散する役割を果たす。プリズムシートは拡散シートで拡散された光をプリズムシートの上部に配置された表示パネル１００の面に対して垂直になる方向に集光する役割を果たす。プリズムシートを通過した光の大部分が表示パネル１００に対して垂直に入射する。保護シートはプリズムシートの上に配置される。保護シートはプリズムシートを外部の衝撃から保護する。
【００４２】
本実施形態では、光学部材２３０は拡散シート、プリズムシート、及び保護シートが１枚ずつ含まれたものを例として挙げたが、これに限定されない。したがって、拡散シート、プリズムシート、及び保護シートのうち、少なくともいずれか１つを複数枚重ねて光学部材２３０を形成してもよく、拡散シート、プリズムシート、及び保護シートのいずれか１つのシートを省略してもよい。
【００４３】
導光板２１０の下部には、表示パネル１００方向に提供されず漏洩する光を反射させて表示パネル１００方向に光を反射させるための反射シート２４０が配置される。反射シート２４０は光を反射する物質を含む。反射シート２４０は下部カバー３２０の上に配置されて光源部２２０から発生した光を反射させる。その結果、反射シート２４０は表示パネル１００側に供給される光の量を増加させる。
【００４４】
上部カバー３１０は表示パネル１００の上に配置され、上部カバー３１０は表示パネル１００の形状に対応する形状を有する。上部カバー３１０は表示パネル１００を露出させる表示窓３１１を有し、表示パネル１００の前面の縁を支持する上部面３１２と、上部面３１２から下部カバー３２０へ延設された側面３１４を含む。ここで、表示パネル１００は四角形の板状であるので、上部カバー３１０の側面３１４は４つの側面で形成されてもよい。上部カバー３１０は下部カバー３２０と結合して表示パネル１００の前面の縁を支持する。
【００４５】
下部カバー３２０はバックライトユニット２００の下部に配置される。下部カバー３２０は表示パネル１００及びバックライトユニット２００の形状に対応する形状を有する底面３２２と、底面３２２から上部の上部カバー３１０に延設された側面３２４とを含む。また、表示パネル１００及びバックライトユニット２００は方形形状を有するので、下部カバーの側面３２４は４つの側面で形成されてもよい。このような下部カバー３２０は、底面３２２及び側面３２４によって形成され、表示パネル１００及びバックライトユニット２００を収容する空間が設けられる。また、下部カバー３２０は上部カバー３１０と結合されてその内部空間に表示パネル１００及びバックライトユニット２００を収納し、支持する。
【００４６】
図４Ａから図４Ｃは本発明の一実施形態における表示装置に適用可能である光拡散部材の斜視図であり、図５Ａ及び図５Ｂは図４ＡのＢ部分の一実施例の拡大図である。図６は光拡散部材、導光板、光源部、及び光学部材の結合関係を説明するための断面図である。
【００４７】
まず、図４Ａを参照すると、光拡散部材２５０は拡散部２５１及び支持部２５２を含み、光源２２１、２２２から出射して導光板２１０間の離隔された空間に漏洩した光を拡散させる。
【００４８】
拡散部２５１は隣接する光板２１０間の離隔された空間の上に重畳して配置される。すなわち、拡散部２５１は導光板２１０間の離隔された空間の上部をカバーする。また、拡散部２５１は光源２２１、２２２から出射して導光板２１０間の離隔された空間に漏洩して導光板２１０から光が出射される方向に進行する光を拡散させる。すなわち、拡散部２５１は光源２２１、２２２から出射して導光板２１０間の離隔された空間に漏洩して表示パネル１００方向に向かう光を拡散させる。
【００４９】
また、拡散部２５１は長辺と短辺とを有する方形の板状であってもよい。拡散部２５１の長辺の長さは導光板２１０間の離隔された空間の長さと同じ又はそれ以上であってもよい。また、拡散部２５１の短辺の長さは導光板２１０間の離隔された空間の幅より大きくてもよい。一実施例において、例えば、拡散部２５１短辺の長さは約１０ｍｍ〜約１５ｍｍであってもよい。
【００５０】
また、拡散部２５１は光学部材２３０に対向する面から突出して導光板２１０及び光学部材２３０が一定の間隔で離隔されるようにする１つ又は複数の突起２５６を含んでもよい。
【００５１】
また、拡散部２５１は光学部材２３０に対向する面の上に接着される反射フィルム２５５をさらに有してもよい。ここで、反射フィルム２５５は例えば半透明なポリエチレンテレフタレート（ｐｏｌｙｅｔｈｙｌｅｎｅ  ｔｅｒｅｐｈｔｈａｌａｔｅ；ＰＥＴ）のような半透明な材質であってもよい。図５Ａに図示されたように、反射フィルム２５５は光学部材２３０に面する面から突出する多数のマイクロレンズ２５５Ａを含んでもよい。図５Ｂに示されたように、反射フィルム２５５はその内部に多数の拡散ビーズ２５５Ｂを含んでもよい。マイクロレンズ２５５Ａ及び拡散ビーズ２５５Ｂは反射フィルム２５５から反射されずに透過する光を拡散して光学部材２３０方向へ出射する。
【００５２】
また、支持部２５２は拡散部２５１から導光板２１０の光出射方向の反対側に突出する。また、支持部２５２は光源２２１、２２２間の離隔された空間に挿入されて拡散部２５１を支持する。
【００５３】
図４Ｂを参照すると、光拡散部材２５０の拡散部２５１は長辺及び短辺を有する方形の板状であり、両短辺の中央を連結する仮想線が両長辺から光学部材方向に突出するドーム形状であってもよい。すなわち、光拡散部材２５０は光学部材２３０の方に凸状になって突出してもよい。したがって、支持部２５２を用いなくても導光板２１０及び光学部材２３０が一定の間隔離隔される。
【００５４】
図４Ｃを参照すれば、光拡散部材２５０の拡散部２５１は長辺及び短辺を有する方形の板状であってもよく、光学部材２３０に面する面から突出して導光板２１０及び光学部材２３０が一定の間隔離隔されるようにする突起２５６をさらに含む。ここで、突起２５６は拡散部２５１の一短辺から他の短辺まで縦方向に延設された形状であってもよく、導光板２１０及び光学部材２３０が一定の間隔離隔されるようにしてもよい。図４Ａの複数の個別の突起２５６と比較すると、図４Ｃの突起２５６は、一つの単一の分割できない部材である。
【００５５】
以下、図７から図９を参照して本発明の他の実施形態に係るバックライトユニット、バックライトユニットを含む表示装置を説明する。図８及び図９において、図１から図６に図示した構成要素と似たような構成要素には似たような参照符号を付し、それに対する具体的な説明は省略する。したがって、図７から図９では図１から図６との差異点を主に説明する。
【００５６】
図７を参照すると、本発明の他の実施形態における表示装置のバックライトユニット２００は光拡散部材２５０と締結されて導光板２１０を支持する導光板支持部材２５７を含む。
【００５７】
導光板支持部材２５７は板状であってもよく、導光板２１０間の離隔された空間の下に配置されてもよい。すなわち、導光板支持部材２５７は導光板２１０の光学部材２３０に面する面の反対方向に配置され導光板２１０間の離隔された空間をカバーする。
【００５８】
一方、光拡散部材２５０の拡散部２５１は貫通ホール２５３を含んでもよく、導光板支持部材２５７は光拡散部材２５０の貫通ホール２５３に対応して連帯している締結ホール２５７Ａを含んでもよい。
【００５９】
上述したような導光板支持部材２５７は貫通ホール２５３に挿入されたスクリュー又はリベットのような締結部材２５４を通じて光拡散部材２５０に締結されて導光板２１０を支持する。すなわち、拡散部２５１及び導光板支持部材２５７は、導光板支持部材２５７及び光拡散部材２５０の締結力によって導光板２１０を支持する。したがって、表示装置を使用する際に外部衝撃等により導光板２１０が定まった位置から外れることを防止することができる。
【００６０】
一方、図８を参照すると、本発明のその他の実施形態における表示装置のバックライトユニット２００は支持部２５２の下端に配置されるキャッチング突起２５２Ａ及び導光板支持部材２５７の上部の収容溝２５７Ｂを含んでもよい。キャッチング突起２５２Ａ及び支持部２５２は共同で一つの単一の分離できない部材を形成する。
【００６１】
導光板２１０から光が出射する方向に対して垂直な面を基準として、キャッチング突起２５２Ａは支持部２５２より大きな断面積を有する。
【００６２】
また、収容溝２５７Ｂにはキャッチング突起２５２Ａが挿入され、接着されてもよい。
【００６３】
上述したような光拡散部材２５０及び導光板支持部材２５７を有するバックライトユニット２００は、別個の締結部材を用いなくても光拡散部材２５０及び導光板支持部材２５７を締結することが可能である。すなわち、光拡散部材２５０のキャッチング突起２５２Ａを導光板支持部材２５７の収容溝２５７Ｂに挿入して接着するようにして光拡散部材２５０及び導光板支持部材２５７を締結できる。
【００６４】
また、図９を参照すると、本発明のその他の実施形態における表示装置のバックライトユニット２００は、下部カバー３２０の底面３２２に光拡散部材２５０の支持部２５２に対応する位置に延設される締結ホール３２３を含んでもよい。締結ホールは反射シート２４０の底面から延設されてもよい。光拡散部材２５０は拡散部２５１及び支持部２５２を貫通する貫通ホール２５３をさらに含んでもよい。貫通ホール２５３にはスクリュー又はリベットのような締結部材２５４が挿入され、締結部材２５４は光拡散部材２５０を下部カバー３２０に固定させる。
【００６５】
したがって、光拡散部材２５０は締結部材２５４を通じて導光板２１０をより確実に支持することが可能である。
【００６６】
上述した実施形態によれば、バックライトユニット及びこれを含む表示装置は導光板間で漏洩する光を拡散させることのできる光拡散部材を含む。したがって、導光板によってガイドされずに漏洩した光によって表示装置の表示品質が低下することを防止することが可能となる。
【００６７】
上述した事項は説明のためのものであって制限的に解釈されてはならず、添付の特許請求の範囲は、本発明の趣旨及び範囲に含まれる全ての変形、改良、及び他の実施例をカバーするものである。したがって、法が許容する最大限において、本発明の範囲は以下の特許請求の範囲及び均等物の最も広い許容された解釈によって規定され、上述の詳細な説明によって制限され限定されてはならない。
【符号の説明】
【００６８】
１００・・・表示パネル
１１０・・・アレイ基板
１２０・・・対向基板
２００・・・バックライトユニット
２１０・・・導光板
２２０・・・光源部
２３０・・・光学部材
２４０・・・反射シート
２５０・・・光拡散部材
３１０・・・上部カバー
３２０・・・下部カバー
５００・・・表示装置
【図１】
0006021452.tif 000002
【図２】
0006021452.tif 000003
【図３Ａ】
0006021452.tif 000004
【図３Ｂ】
0006021452.tif 000005
【図４Ａ】
0006021452.tif 000006
【図４Ｂ】
0006021452.tif 000007
【図４Ｃ】
0006021452.tif 000008
【図５Ａ】
0006021452.tif 000009
【図５Ｂ】
0006021452.tif 000010
【図６】
0006021452.tif 000011
【図７】
0006021452.tif 000012
【図８】
0006021452.tif 000013
【図９】
0006021452.tif 000014